(57)【要約】【課題】１つのバッテリーチェッカにより、組電池端子間距離の異なる複数種類の組電池の電圧をチェックすることのできる組電池用バッテリーチェッカを提供する。【解決手段】マイナス側チェッカ端子１１に接続するマイナス側アダプタ端子１４と、第２プラス側チェッカ端子１３に接続するプラス側アダプタ端子１５とを備えた、チェッカ本体２から着脱可能なアダプタ３を有し、一対の組電池端子の中心距離が相違する組電池に対して、マイナス側アダプタ端子１４とプラス側アダプタ端子１５を用いて組電池の電圧をチェックする。【選択図】図１
0003186682.tif 000002
【実用新案登録請求の範囲】
【請求項１】
単位電池が複数組み合わされて、一対の組電池端子により、所定の電圧を供給する組電池の電圧をチェックするためのマイナス側チェッカ端子、第１プラス側チェッカ端子、及び第２プラス側チェッカ端子と、
前記所定の電圧値をセットする電圧セットスイッチと、
前記チェッカ端子間の電圧が正常か否かを表示する表示器とを備えるチェッカ本体を有する組電池用バッテリーチェッカにおいて、
前記マイナス側チェッカ端子に接続するマイナス側アダプタ端子と、前記第２プラス側チェッカ端子に接続するプラス側アダプタ端子とを備えた、前記チェッカ本体から着脱可能なアダプタを有し、
前記一対の組電池端子の中心距離が相違する組電池に対して、前記マイナス側アダプタ端子と前記プラス側アダプタ端子を用いて前記組電池の電圧をチェックすること
を特徴とする組電池用バッテリーチェッカ。
【請求項２】
請求項１に記載する組電池用バッテリーチェッカにおいて、
前記アダプタ又は前記チェッカ本体に、逆転装着を防止するための機能を有すること
を特徴とする組電池用バッテリーチェッカ。
【考案の詳細な説明】
【技術分野】
【０００１】
この考案は、端子位置の異なる複数の組電池に対して、１つのバッテリーチェッカにより、組電池の電圧をチェックすることのできる組電池用バッテリーチェッカに関するものである。
【背景技術】
【０００２】
例えば、自衛隊においては、携帯大型通信機器の電源として、複数種類の組電池を使用している。災害救助等の場面において、電池切れで通信が不良となっては、意味がないため、予備の組電池を含めて常時多数の組電池を携行している。緊急時に、倉庫から持ち出して携行する組電池については、少なくとも、所定の電圧を出力できるか否かをチェックしている。バッテリの電圧をチェックする装置は、広く知られている。例えば、特許文献１を参照。
しかしながら、自衛隊で使用している組電池は、もともと７種類あり、一対の組電池端子の中心距離が電池の種類により大きく相違している。そのため、少なくとも、一対のチェッカ端子の中心距離の異なる複数のバッテリーチェッカを常に準備する必要があった。また、倉庫が災害救助等の前線に位置する場合、複数のバッテリーチェッカを準備することは余分なスペース、余分な手間を必要とし、問題であった。
【０００３】
そこで、本出願人は、上記問題点を解決するために、１つのバッテリーチェッカにより、組電池端子の中心距離の異なる複数種類の組電池の電圧をチェックすることのできる特許文献２に記載の組電池用バッテリーチェッカを考案した。これにより、７種類の組電池に対して、１つのバッテリーチェッカにより、組電池の電圧をチェックすることを実現した。
【０００４】
本出願人が考案したバッテリーチェッカを構成するチェッカ本体２は、図１２に示すように、下面に３本のピンが一列に並行して突出している。３本のピンは、左からマイナス側チェッカ端子１１、第２プラス側チェッカ端子１３、及び第１プラス側チェッカ端子１２である。マイナス側チェッカ端子１１と第１プラス側チェッカ端子１２の端子間距離はＬ１＝２５.６ｍｍである。また、マイナス側チェッカ端子１１と第２プラス側チェッカ端子１３の端子間距離はＬ２＝１２.８ｍｍである。第２プラス側チェッカ端子１３と第１プラス側チェッカ端子１２の端子間距離はＬ３＝１２.８ｍｍである。３つのチェッカ端子のピン部の各々の直径は、Ｔ＝１．９ｍｍである。
【０００５】
一例として、１８Ｖの組電池Ｊ−５００４の電圧をチェックする場合の作用について図１３の（ａ）を用いて説明する。
最初に、操作者は、電圧セットスイッチの矢印を１８Ｖ目盛りに合わせる。Ｊ−５００４の組電池端子のマイナス側端子孔３１ａ及びプラス側端子孔３２ａの中心距離はＷ１＝２０．０ｍｍである。組電池端子の端子孔３１ａ、３２ａは、各々直径Ｋａ＝１０．０ｍｍである。組電池端子の端子孔３１ａと３２ａの最長距離はＭ２＝３０．０ｍｍである。また、マイナス側チェッカ端子１１と第１プラス側チェッカ端子１２の最長距離はＭ１＝２７．５ｍｍである。そのため、組電池端子の端子孔３１ａ、３２ａの底面に組電池用バッテリーチェッカ１のチェッカ端子を押し当てたとき、組電池端子の端子孔３１ａ、３２ａには、３０．０ｍｍ−２７．５ｍｍ（Ｍ２−Ｍ１）＝２．５ｍｍの余裕がある。すなわち、それぞれの組電池端子の端子孔３１ａ、３２ａに対し、１．２５ｍｍの余裕を持って、各々マイナス側チェッカ端子１１と第１プラス側チェッカ端子１２を差し込むことができる。このとき、第２プラス側チェッカ端子１３は、組電池に当たって力が加えられ、チェッカ本体２の内部に押し込まれる。これにより、組電池（ａ）の電圧をチェックすることができる。
同様に、チェッカ本体２により、他の組電池(ｂ）、（ｃ）、（ｄ)、（ｅ）、（ｆ）、（ｇ）についても電圧をチェックすることができる。なお、詳細な説明は省略する。
【先行技術文献】
【特許文献】
【０００６】
【特許文献１】特開2005-195442号
【特許文献２】実用新案登録第3180198号
【考案の概要】
【考案が解決しようとする課題】
【０００７】
しかしながら、図１３の（ａ）〜（ｇ）で示す７種類の組電池のほかに、さらに組電池端子の中心距離が異なる１２Ｖの組電池（ｈ）Ｊ−７００９が出現した。その組電池端子のマイナス側端子孔３１ｈ及びプラス側端子孔３２ｈの中心距離はＷ５＝１８．０ｍｍである。組電池端子の端子孔３１ｈと３２ｈの最短距離は、１２．０ｍｍである。ここで、マイナス側チェッカ端子１１と第２プラス側チェッカ端子１３の最短距離は１０．９ｍｍであるため、図１３の（ｈ）に示すように、組電池（ｈ）の端子孔３１ｈ、３２ｈに差し込むことができない。よって、チェッカ本体２を用いて組電池（ｈ）の電圧をチェックすることができなかった。そのため、組電池（ｈ）の電圧をチェックすることができる組電池用バッテリーチェッカをさらに準備する必要があった。
そこで、組電池の端子孔の中心距離が異なる組電池（ｈ）を含めた組電池に対して、電圧をチェックすることのできる１つの組電池用バッテリーチェッカが求められていた。
【課題を解決するための手段】
【０００８】
上記の問題点を解決するために、本考案の一態様における組電池用バッテリーチェッカは、次の構成を有している。
（１）単位電池が複数組み合わされて、一対の組電池端子により、所定の電圧を供給する組電池の電圧をチェックするためのマイナス側チェッカ端子、第１プラス側チェッカ端子、及び第２プラス側チェッカ端子と、前記所定の電圧値をセットする電圧セットスイッチと、前記チェッカ端子間の電圧が正常か否かを表示する表示器とを備えるチェッカ本体を有する組電池用バッテリーチェッカにおいて、前記マイナス側チェッカ端子に接続するマイナス側アダプタ端子と、前記第２プラス側チェッカ端子に接続するプラス側アダプタ端子とを備えた、前記チェッカ本体から着脱可能なアダプタを有し、前記一対の組電池端子の中心距離が相違する組電池に対して、前記マイナス側アダプタ端子と前記プラス側アダプタ端子を用いて前記組電池の電圧をチェックすることを特徴とする。
（２）（１）に記載する組電池用バッテリーチェッカにおいて、前記アダプタ又は前記チェッカ本体に、逆転装着を防止するための機能を有することを特徴とする。
【考案の効果】
【０００９】
上記（１）の態様によれば、１つの組電池用バッテリーチェッカにより、組電池端子の中心距離の異なる複数種類の組電池の電圧をチェックすることができる。また、アダプタは着脱可能であるため、必要に応じてチェッカ本体のみを使用したり、アダプタをチェッカ本体に装着して使用したりして、使い分けることができる。さらに、アダプタをチェッカ本体に装着できるため、チェッカ本体と一体として常に持ち運ぶことができ、紛失することがない。
上記（２）の態様によれば、アダプタをチェッカ本体に装着する際に、暗い場所で視認することが困難な状況においても、アダプタを逆転して装着することなく、適切な使用をすることができる。
【図面の簡単な説明】
【００１０】
【図１】組電池用バッテリーチェッカの一部断面図である。
【図２】図１のＡ部の拡大図である。
【図３】組電池用バッテリーチェッカの正面図である。
【図４】組電池用バッテリーチェッカの背面図である。
【図５】カバー付きの組電池用バッテリーチェッカの斜視図である。
【図６】アダプタの４面図である。
【図７】組電池（ｈ）の組電池端子の端子孔及びその中心距離等と、アダプタ端子の位置関係である。
【図８】組電池（ｈ）の電圧をチェックする場合の組電池用バッテリーチェッカの使用時の断面図である。
【図９】入力信号のオフセット回路図である。
【図１０】電圧測定手段である。
【図１１】Ｖｃｃ発生回路図である。
【図１２】従来のチェッカ本体の正面図である。
【図１３】従来の組電池（ａ）〜（ｇ）及び組電池（ｈ）の組電池端子の端子孔及びその中心距離等と、チェッカ端子の位置関係である。
【考案を実施するための形態】
【００１１】
以下、本考案における組電池用バッテリーチェッカ１を具体化した実施形態につき図面を参照して詳細に説明する。
図１は、組電池用バッテリーチェッカ１の一部断面図である。図２は、図１のＡ部を拡大した図である。また、図３は、組電池用バッテリーチェッカ１の正面図であり、図４はその背面図である。さらに、図５は、カバー２８付きの組電池用バッテリーチェッカ１の斜視図である。また、図６はアダプタ３の４面図である。
【００１２】
まず、組電池用バッテリーチェッカ１の構成を、図３を用いて説明する。組電池用バッテリーチェッカ１は、チェッカ本体２と、チェッカ本体２の下部に着脱可能に装着されるアダプタ３により構成される。なお、図３のチェッカ本体２は、図１２に示すチェッカ本体２と同一である。そのため、重複する説明は割愛する。
チェッカ本体２の正面中央部には、所定の電圧値をセットするための回転可能に保持された電圧セットスイッチ１６がある。電圧セットスイッチ１６の水平の左側には９Ｖ目盛り１７、垂直の上側には１２Ｖ目盛り１８、水平の右側には１８Ｖ目盛り１９がある。電圧セットスイッチ１６を指で挟持して回すことで変更することができる。９Ｖ目盛り１７付近にはＪ−７００６の表示があり、１２Ｖ目盛り１８付近にはＪ−５００３、Ｊ−７００１、Ｊ−７００２、Ｊ−７００９が、１８Ｖ目盛り１９付近にはＪ−５００４、Ｊ−７００５、Ｊ−７００７、Ｊ−７００８の表示がある。各々の目盛りに電圧セットスイッチ１６が止まるように付勢手段を施してある。チェッカ本体２の正面上部左側には、組電池の電圧が所定の適正電圧範囲内であると判断された場合に点灯する緑色のＯＫランプ２０がある。一方、右側には、組電池の電圧が所定の適正電圧範囲内でないと判断された場合に点灯する赤色のＮＧランプ２１がある。また、電圧セットスイッチ１６の下には組電池の電圧を示す電圧測定表示部２２がある。電圧測定表示部２２は７セグの表示器で構成され、２ケタの数字まで表示され、小数点以下は１ケタまで表示される。
【００１３】
チェッカ本体２の下部には、チェッカ本体２の下面から突出しているマイナス側チェッカ端子１１、第１プラス側チェッカ端子１２、第２プラス側チェッカ端子１３を覆うようにして着脱可能なアダプタ３が装着されている。アダプタ３はチェッカ本体２に装着できるため、チェッカ本体２と一体として常に持ち運ぶことができ、紛失することがない。
アダプタ３の下面には、２本のピンが一列に並行して突出している。２本のピンは、左からマイナス側アダプタ端子１４、プラス側アダプタ端子１５であり、アダプタ３の下部に、左から「−」、「＋」の記号が表示されている。図示しないが、アダプタ３の内部にあるバネが、マイナス側アダプタ端子１４、プラス側アダプタ端子１５のピン部が外側へ突出する方向へ付勢している。アダプタ３の内部では、図１に示すように、マイナス側アダプタ端子１４はマイナス側チェッカ端子１１に接続し、プラス側アダプタ端子１５は第２プラス側チェッカ端子１３に接続している。第１プラス側チェッカ端子１２はアダプタ３により覆われている。２つのアダプタ端子に力が加わると、それぞれマイナス側チェッカ端子１１と第２プラス側チェッカ端子１３を押し上げる。その結果、マイナス側チェッカ端子１１と第２プラス側チェッカ端子１３は、チェッカ本体２の内部に押し込まれる。図示しないが、マイナス側チェッカ端子１１と第２プラス側チェッカ端子１３は、それぞれ後述する回路に接続されている。マイナス側アダプタ端子１４とプラス側アダプタ端子１５の端子間距離はＬ４＝１４．４ｍｍである。この距離は、図２に示すように、マイナス側チェッカ端子１１と第２プラス側チェッカ端子１３の端子間距離Ｌ２＝１２．８ｍｍよりも大きい。２つのアダプタ端子の各々の直径は、Ｔ＝１．９ｍｍである。
【００１４】
アダプタ３の背面上部には、図４及び図６に示すように、凹部３０が形成されている。これに対応して、チェッカ本体２の背面下部には、凸部２３が形成されている。これにより、逆転して装着することを防止することができ、暗い場所で視認することが困難な状況においても正確に装着することができる。
【００１５】
チェッカ本体２の側面上部には、図５に示すように、ストラップホルダー２４があり、ここに首や手首にかけられるストラップ２５を連結させる。また、チェッカ本体２の側面下部にはストラップホルダー２６があり、同じくストラップホルダー２７を有するカバー２８とストラップ２９により連結されている。カバー２８により、２つのアダプタ端子は覆い被され、故障の恐れなく、持ち運ぶことができる。
【００１６】
次に、組電池（ｈ）の電圧をチェックする場合の作用について、図７の（ｈ）及び図８を用いて説明する。
最初に、操作者は、アダプタ３をチェッカ本体２に装着すると共に、チェッカ本体２の電圧セットスイッチ１６の矢印を１２Ｖ目盛り１８に合わせる。一例として、組電池（ｈ）の組電池端子のマイナス側端子孔３１ｈ及びプラス側端子孔３２ｈの中心距離は、Ｗ５＝１８．０ｍｍである。組電池端子の端子孔３１ｈと３２ｈの最短距離はＮ１＝１２．０ｍｍである。また、マイナス側アダプタ端子１４とプラス側アダプタ端子１５の最短距離はＮ２＝１２．５ｍｍである。そのため、組電池端子の端子孔３１ｈ、３２ｈの底面に組電池用バッテリーチェッカ１のアダプタ端子を押し当てたとき、組電池端子の端子孔３１ｈ、３２ｈには、１２．５ｍｍ−１２．０ｍｍ（Ｎ２−Ｎ１）＝０．５ｍｍの余裕がある。すなわち、それぞれの組電池端子の端子孔３１ｈ、３２ｈに対し、０．２５ｍｍの余裕を持って、各々マイナス側アダプタ端子１４とプラス側アダプタ端子１５を差し込むことができる。なお、チェッカ本体２のマイナス側チェッカ端子１１と第２プラス側チェッカ端子１３の最短距離は１０．９ｍｍであるため、組電池（ｈ）の端子孔の最短距離が１２．０ｍｍである端子孔３１ｈ、３２ｈに差し込むことはできず、電圧をチェックすることはできない。
このように、チェッカ本体２で電圧をチェックできない図７の組電池（ｈ）については、チェッカ本体２にアダプタ３を装着することにより電圧をチェックすることができる。一方、図１３の組電池（ａ）〜（ｇ）については、アダプタ３をチェッカ本体２より外し、チェッカ本体２のみで電圧をチェックすることができる。すなわち、必要に応じて、チェッカ本体２からアダプタ３を着脱して使い分けることができる。
【００１７】
次に、組電池用バッテリーチェッカ１の回路について説明する。
図９に、入力信号のオフセット回路図を示す。図１０には、電圧測定手段４を示し、図１１には、Ｖｃｃ発生回路図を示す。
Ｖｃｃ発生回路は、図１１に示すように、主にＶｃｃ発生主要回路５５で構成される。Ｖｃｃ発生主要回路５５には、プラス側アダプタ端子１５、すなわち第２プラス側チェッカ端子が入力端子５４に接続され、マイナス側アダプタ端子１４、すなわちマイナス側チェッカ端子１１がグランド４５に接続されている。Ｖｃｃ発生主要回路５５の出力には、出力端子５６が接続されている。出力端子５６は、図１０の入力端子４８に接続されている。
【００１８】
入力信号のオフセット回路は、図９に示すように、第１コンパレータ４１、及び第２コンパレータ４２により構成される。第１コンパレータ４１のプラス入力には、プラス側アダプタ端子１５、すなわち第２プラス側チェッカ端子１３が入力端子４４に接続されている。第１コンパレータ４１のマイナス入力には、マイナス側アダプタ端子１４、すなわちマイナス側チェッカ端子１１がグランド４５に接続されている。また、第１コンパレータ４１のマイナス入力には可変抵抗４７を介して第１コンパレータ４１の出力に接続されている。また、第１コンパレータ４１の出力は、第２コンパレータ４２のプラス入力に接続している。第２コンパレータ４２の出力は第２コンパレータ４２のマイナス入力に接続している。第２コンパレータ４２の出力は、出力端子４６に接続している。また、出力端子４６は、図１０の入力端子４９に接続している。
【００１９】
組電池の電圧は、操作者が電圧セットスイッチ１６を切り替えることにより、可変抵抗４７が変化し、９Ｖ、１２Ｖ、１８Ｖの切替えが入力され、それに対応する抵抗値に設定される。第１コンパレータ４１のマイナス入力に入力するオフセット電圧を変化させることにより、第２プラス側チェッカ端子１３からの入力電圧をＶｃｃ電圧以下にオフセットして出力端子４６に出力する。第２コンパレータ４２は、出力を安定化させるためのものである。
【００２０】
次に、組電池用バッテリーチェッカ１の作用について説明する。
組電池は、組電池端子の端子孔が２つあり、一つはマイナス側組電池端子の端子孔で、もう一つはプラス側組電池端子の端子孔である。マイナス側組電池端子の端子孔に、マイナス側アダプタ端子１４を差し込み、プラス側組電池端子の端子孔に、プラス側アダプタ端子１５を差し込むことで組電池の電圧を計測する。
【００２１】
組電池端子と組電池用バッテリーチェッカ１のアダプタ端子が接触するとき、図９、図１１に示すように、マイナス側アダプタ端子１４がグランド４５に接続され、プラス側アダプタ端子１５が入力端子５４、及び入力端子４４に接続される。これにより、組電池の電圧は、Ｖｃｃ発生主要回路５５によりＶｃｃ電圧に変えられ、出力端子５６に供給される。さらに、組電池の電圧は、図１０の入力端子４８に供給される。
電圧セットスイッチ１６は１２Ｖの目盛りにセットされているので、可変抵抗４７により第１コンパレータ４１のプラス入力に入力された電圧は１２Ｖに対応する分だけオフセットされる。さらに、第２コンパレータ４２を介し、電圧測定手段４の入力信号のためにオフセットされた電圧は、出力端子４６に供給され、入力端子４９に供給される。
また、可変抵抗４７は、図示しない回路により、入力端子５０へ入力される。これにより、電圧測定手段４は、可変抵抗４７の電圧セットスイッチ１６が１２Ｖの目盛りにセットされていることを把握する。電圧測定手段４は、入力端子４９に入力された電圧と、入力端子５０に入力された電圧セットスイッチ１６でセットされた目盛りにより、電圧Ｖｉｎを算出する。電圧Ｖｉｎを算出した後、電圧Ｖｉｎを出力端子５３により、電圧測定表示部２２に表示するための信号が出力される。また、組電池が１２Ｖ用組電池の適正電圧範囲内であると判断された場合には、出力端子５１により、緑色のＯＫランプ２０が点灯する。一方、組電池が１２Ｖ用組電池の適正電圧範囲内でないと判断された場合には、出力端子５２により、赤色のＮＧランプ２１が点灯する。これにより、操作者は、辺りが暗くても、赤色のランプか緑色のランプかを確実に識別することができ、所定の電圧を出力できる組電池を判断し、携行することができる。
【００２２】
以上、詳細に説明したように、本考案の組電池用バッテリーチェッカ１は、
（１）単位電池が複数組み合わされて、一対の組電池端子により、所定の電圧を供給する組電池の電圧をチェックするためのマイナス側チェッカ端子１１、第１プラス側チェッカ端子１２、及び第２プラス側チェッカ端子１３と、所定の電圧値をセットする電圧セットスイッチ１６と、チェッカ端子間の電圧が正常か否かを表示する表示器（ＯＫランプ２０、ＮＧランプ２１）とを備えるチェッカ本体２を有する組電池用バッテリーチェッカ１において、マイナス側チェッカ端子１１に接続するマイナス側アダプタ端子１４と、第２プラス側チェッカ端子１３に接続するプラス側アダプタ端子１５とを備えた、チェッカ本体２から着脱可能なアダプタ３を有し、一対の組電池端子の中心距離が相違する組電池に対して、マイナス側アダプタ端子１４とプラス側アダプタ端子１５を用いて組電池の電圧をチェックすることを特徴とするので、１つの組電池用バッテリーチェッカ１により、組電池端子の中心距離の異なる複数種類の組電池の電圧をチェックすることができる。また、アダプタ３は着脱可能であるため、必要に応じてチェッカ本体２のみを使用したり、アダプタ３をチェッカ本体２に装着して使用したりして、使い分けることができる。さらに、アダプタ３をチェッカ本体２に装着できるため、アダプタ３とチェッカ本体２は一体として常に持ち運ぶことができ、紛失することがない。
（２）（１）に記載する組電池用バッテリーチェッカ１において、アダプタ３又はチェッカ本体２に、逆転装着を防止するための機能（凸部２３、凹部３０）を有することを特徴とするので、アダプタ３をチェッカ本体２に装着する際に、暗い場所で視認することが困難な状況においても、アダプタ３を逆転して装着することなく、適切な使用をすることができる。
【００２３】
以上において、本考案を実施形態に即して説明したが、本考案は上記実施形態に限定されるものではなく、その要旨を逸脱しない範囲で、適宜変更して適用できる。
例えば、組電池端子の中心距離の異なる他の種類の組電池に対しても適用しうる。
【符号の説明】
【００２４】
１      組電池用バッテリーチェッカ
２      チェッカ本体
３      アダプタ
１１    マイナス側チェッカ端子
１２    第１プラス側チェッカ端子
１３    第２プラス側チェッカ端子
１４    マイナス側アダプタ端子
１５    プラス側アダプタ端子
１６    電圧セットスイッチ
２０    ＯＫランプ
２１    ＮＧランプ
２２    電圧測定表示部
４１    第１コンパレータ
４７    可変抵抗
５５    Ｖｃｃ発生主要回路
【図１】
0003186682.tif 000003
【図２】
0003186682.tif 000004
【図３】
0003186682.tif 000005
【図４】
0003186682.tif 000006
【図５】
0003186682.tif 000007
【図６】
0003186682.tif 000008
【図７】
0003186682.tif 000009
【図８】
0003186682.tif 000010
【図９】
0003186682.tif 000011
【図１０】
0003186682.tif 000012
【図１１】
0003186682.tif 000013
【図１２】
0003186682.tif 000014
【図１３】
0003186682.tif 000015